(57)【特許請求の範囲】
【請求項１】
水道水からの給水圧を減圧又は加圧する調圧手段及び該調圧手段で調整された洗浄水を人体局部に噴出させる洗浄ノズルからなる人体局部洗浄装置において、調圧手段の前又は後の水路の途中にローターを有するローター室を設け、該ローターにローター室に流入又は流出する水の入口又は出口の一部又は全部を塞ぐように邪魔板を前記ローターの外周に取り付け、邪魔板にローターの回転方向に沿ってスリットを設け、洗浄水の水量を間欠的に制限し、水流に脈動を与えるようにした人体局部洗浄装置。
【請求項２】
ローターをモーターにより強制的に回転させるようにした請求項１記載の人体局部洗浄装置。
【請求項３】
水路の途中を二つに分岐し、一方の水路にはローター室から洗浄ノズルに至る洗浄水路を形成し、他方の水路には水勢により回転し、ローター軸に結合された水車を有する水車室を設け、該水車によりローターを回転させると共に水車を回転させた水を排出する排水水路を形成した請求項１記載の人体局部洗浄装置。
【請求項４】
水道水からの給水圧を減圧又は加圧する調圧手段及び該調圧手段で調整された洗浄水を人体局部に噴出させる洗浄ノズルからなる人体局部洗浄装置において、調圧手段の前又は後の水路の途中にローターを有するローター室を設け、該ローターにローター室に流入又は流出する水の入口又は出口の一部又は全部を塞ぐように邪魔板を取り付け、ローター室の出口側に洗浄ノズルに至る吐水口及び洗浄ノズル以外の排水口の二つを設け、排水口への水流により生じるローターの回転力により邪魔板による吐水口からの吐水量を変えるようにした人体局部洗浄装置。
【請求項５】
邪魔板をローターの軸方向の下端に取り付け、ローター室における給水口の反対側に排水口、邪魔板の下方に吐水口を設けた請求項４記載の人体局部洗浄装置。
【発明の詳細な説明】
【０００１】
【産業上の利用分野】
本発明は人体局部洗浄装置に関する。
【０００２】
【従来の技術】
人体局部洗浄装置における流量を変動させる機構として、実開平３−  ７２９７６号公報又は実開平３−  ７２９７７号公報に記載がある。前者は局部を洗う洗浄水により水車を回転させ、水車に密結した開閉バルブを回転させることにより、流量をパルス的に変動させるものである。一方、後者は開閉バルブを洗浄水によって駆動するものではなく、モーター等で駆動するものである。
【０００３】
【発明が解決しようとする課題】
実開平３−  ７２９７６号公報では、人体の局部を洗浄するための水を水車の回転のために捨てなければならず、温水貯湯式の局部洗浄装置には不向きであった。また、洗浄水量を全開から全閉まで瞬時に切り替えるため、ウォーターハンマーが生じ易い上、流量変動が大き過ぎるために十分な洗浄感が得られなかった。
本発明はこのような不具合に鑑みてなされたものであり、水量をスムーズに変動させることが出来、貯湯式の局部洗浄装置に用いることが出来る水量の変動機構を有する人体局部洗浄装置を提供するものである。
【０００４】
【課題を解決するための手段】
本発明は、水道水からの給水圧を減圧又は加圧する調圧手段及び該調圧手段で調整された洗浄水を人体局部に噴出させる洗浄ノズルからなる人体局部洗浄装置において、調圧手段の前又は後の水路の途中にローターを有するローター室を設け、該ローターにローター室に流入又は流出する水の入口又は出口の一部又は全部を塞ぐように邪魔板を前記ローターの外周に取り付け、邪魔板にローターの回転方向に沿ってスリットを設け、洗浄水の水量を間欠的に制限し、水流に脈動を与えるようにした人体局部洗浄装置に関する。
また、本発明は、水道水からの給水圧を減圧又は加圧する調圧手段及び該調圧手段で調整された洗浄水を人体局部に噴出させる洗浄ノズルからなる人体局部洗浄装置において、調圧手段の前又は後の水路の途中にローターを有するローター室を設け、該ローターにローター室に流入又は流出する水の入口又は出口の一部又は全部を塞ぐように邪魔板を取り付け、ローター室の出口側に洗浄ノズルに至る吐水口及び洗浄ノズル以外の排水口の二つを設け、排水口への水流により生じるローターの回転力により邪魔板による吐水口からの吐水量を変えるようにした人体局部洗浄装置に関する。
【０００５】
本発明は、人体局部洗浄装置において、水道水から該水道水の給水圧を減圧する減圧手段やポンプ等の加圧手段のような調圧手段を経て、人体局部を洗浄するために水を噴出する洗浄ノズルに至る洗浄水路の途中に、洗浄水の水量を間欠的に制限して水の圧損を動的に変化させ、水流に脈動を与えるようにした水量脈動手段を設けて洗浄性能の向上を図ったものである。
この水量脈動手段の基本形は、ローターを有し、洗浄水が通過するローター室を設け、該ローターに邪魔板を取り付け、ローター室に設けた流入する水の給水口又は流出する水の吐水口の一部又は全部を該邪魔板で塞いだものである。
【０００６】
邪魔板は、請求項１〜４のようにローターの外周に取り付けたり、請求項５のようにローター回転軸の端部に取り付ける。ローター外周に取り付ける場合は、通常は外周の一部に取り付けるが全周に取り付けることも出来、また、邪魔板にローターの回転方向に沿って水が通過するスリットを設けることも出来る。ローター室における水の入口及び出口は、邪魔板をローター外周に取り付ける場合、ローター室の互いに反対側の位置に給水口対吐水口又は給水口対吐水口及び排水口として設置され、邪魔板をローター回転軸の下端に取り付けた場合は、ローター室の互いに反対側の位置に給水口対排水口、邪魔板の下方に吐水口として設置される。
ローターの回転は、請求項２のように水流によらずモーターで駆動させてもよく、請求項３のように二つに分岐した水路の一方の水路のローター回転軸に結合された他方の水路の水車等により駆動させてもよい。
【０００７】
本発明の人体局部洗浄装置における水のフローの例を図７に示す。
図７（ａ）は請求項１及び２の場合で、水道から供給された水はポンプ（Ｐ）１で付勢されて水量脈動手段２に導かれ、該水量脈動手段２により水量を変動させた後、温水タンク３６を経て洗浄ノズル３から噴射される。
図７（ｂ）は、請求項３の場合であり、ポンプ１により付勢された水は、分岐部５で分岐され、水量脈動手段２及び水車からなる脈動付勢手段４に各々導かれる。脈動付勢手段４に導かれた水は、水量脈動手段２の駆動力を提供した後、便器内へそのまま排水される。一方、水量脈動手段２に導かれた日かけた水は、脈動付勢手段４により得られた動力で水量を脈動させられて洗浄ノズル３から吐水される。
【０００８】
図７（ｃ）は、請求項４及び５の場合であり、ポンプ１により付勢された水は水量脈動手段２に導かれる。水量脈動手段２に導かれた水は、水量脈動手段２の内部で局部を洗浄するために洗浄ノズル３に分岐するもの、及び洗浄ノズル３に分岐する水を脈動させるために動力として使われた後で排水口から便器内へ排水されるものの二つに分岐する。便器内へ排水される水は、便器洗浄用或いはノズル洗浄用として使用しても良い。
各種の水量脈動手段については、実施例で図面を引用して詳述する。
【０００９】
【実施例】
次に、本発明の実施例を説明する。
実施例１
図１（ａ）に示すように、２１は水流により回転するローターで、回転軸（ローター軸）２３によりローター室２２の中を回転するように支持されている。ローター２１の羽根の外周の一部に、図１（ｃ）にも示すようにスリット２５を持った邪魔板２４が取り付けてあり、ローター２１の回転と共にローター室２２の給水口３３又は吐水口３２の一部を塞ぐことが出来るようになっている。
【００１０】
給水口３３からローター室２２に入った水はローター２１を回転させてから殆ど圧損なく吐水口３２から出て行く。次に、ローター２１が回転して図１（ｂ）に示す位置まで来ると、給水口３３から入った水はスリット２５を通ってローター室２２に入り、ローター２１を回転させた後吐水口３２から出て行く。このとき、邪魔板２４及びスリット２５により水の通過が抑制され、ここで大きな圧損を生じ、水量が大幅に減少する。このスリット２５は設ける角度に応じて連続的に変化するため、水量変化はスムーズに行われる。このように、ローター２１の回転に伴ってスリット付邪魔板２４が周期的に給水口及び吐水口の一部を動的に塞ぐため、水流が周期的に且つスムーズに脈動する。
【００１１】
実施例２
図２は、ローター２１の回転をローター室２２の外側に設けたモーター２６により行わせることにより、水流を脈動させるものである。図２に示した装置の場合、水量に関係なく水流を脈動出来るため、使用者の好みに応じた周波数を得ることが容易である。また、邪魔板２７が吐水口３２又は給水口３３に来た場合であっても、ローター２１を回転させることが出来るため、ローター２１の邪魔板２７に図１（ｃ）のように設けたスリット２５を、吐水口３２又は給水口３３が完全に閉塞するまで絞った形状にすることが出来るので、水量の変動幅を大きくとれる上に、水量を連続して変化させられるように全周を邪魔板にすることも出来る。更に、ポンプのように水圧を増圧することも出来る。
【００１２】
実施例３
図３は、図２のモーター２６の代りにローター２１を廻すために水車を設けた例である。水量を脈動させるローター２１は、回転軸を同じくする水車２８と密結されている。給水は、ローター室に入る前段で二つに分岐されて、ローター室２２及び水車室３０に各々導かれる。脈動付勢手段としての水車室３０に導かれた水は、水車２８を回転させて排水口３１から排出される。このとき、水車２８の回転軸２９は密結されたローター２１の回転軸２３に回転力を伝達する。ローター２１はこの力によりローター室２２に導かれた水の圧損を変動させ、ローター室２２の吐水口３２より吐水される水を脈動させることが出来る。この実施例の場合では、図２に示した実施例と同じく、ローター室に導かれる水量にかかわらず、水車室から排水される水の量により脈動の周波数を可変にすることが出来る。また、ローター室から吐水する水量の変動幅を大きくとることが出来る。
【００１３】
実施例４
図４は本発明の他の実施例を示したもので、図３に示すローター２１及び水車２８を合わせたものである。図４において、ローター室２２は給水口３３及び該給水口３３の反対側に吐水口３２と排水口３１とを設けてある。給水口３３から入った水はローター２１を回転させ、各々排水口３１及び吐水口３２から出て行く。ローター２１には回転すると吐水口３２の一部又は全部を塞ぐことの出来る邪魔板２７があり、ローター２１の回転により吐水口３２から出る水を大きく脈動させることが出来る。また、吐水口３２が完全に邪魔板により塞がれた場合であっても、給水口３３から入った水は排水口３１から排出されるため、ローター２１は常に回転し続けることが出来るので、吐水口３２から吐水される水を大きく脈動させることが出来る。更に、排水口３１の径を変えることにより、脈動周波数を容易に変えることも可能である。
【００１４】
実施例５
図５は、更に別の実施例であって、ローター２１の底部（軸方向の下端）全体に円板状の邪魔板２７を設け、該邪魔板２７には大きさの異なる一つ以上のオリフィス３４がほぼ同一の円周上に設けられている。一方、ローター室２２には給水口３３及び排水口３１がローター２１を回転させるように反対側の位置に取り付けられ、吐水口３２は邪魔板２７と垂直にぶつかるように邪魔板２７の下方に取り付けられている。ここで給水口３３から入った水はローター２１を回転させて排水口３１から排出されて行くが、一部は吐水口３２の直上にある邪魔板２７に設けられたオリフィス３４を通って吐水口３２から吐水される。従って、ローター２１の回転に伴って吐水口直上の開口度が動的に変化するため、吐水口３２から吐水される水を脈動させることが出来る。吐水口から吐水される水量を調整すれば、脈動の周波数を自由に変えることが出来る。
【００１５】
実施例６
この実施例は実施例５の変形であり、図６に示すように、吐水口３２の直上を塞ぐ邪魔板２７を実施例５のようなオリフィスを設けた円板ではなく、外形を連続的に変化させた形状にしたものであり、吐水口３２を塞ぐオリフィスが連続的に変化することになり、任意の脈動パターンを得ることが出来るものである。
【００１６】
【発明の効果】
本発明によれば、人体局部洗浄装置における洗浄水及び水量変動機構の駆動に用いる水を別経路にすることが出来るため、貯湯式の局部洗浄装置においても、お湯を捨てる必要が無くなる。また、脈動のパターンも離散的な変動ではなく、連続的な任意の水流変動パターンを選択することが出来る。
【図面の簡単な説明】
【図１】（ａ）及び（ｂ）は本発明の実施例になる人体局部洗浄装置の水量脈動手段を
示す断面図、（ｃ）はローターの斜視図である。
【図２】本発明の実施例になる人体局部洗浄装置の水量脈動手段を示す平面図である。
【図３】本発明の実施例になる人体局部洗浄装置の水量脈動手段を示す平面図である。
【図４】本発明の実施例になる人体局部洗浄装置の水量脈動手段を示し、（ａ）は平面
図及び（ｂ）は正面図である。
【図５】本発明の実施例になる人体局部洗浄装置の水量脈動手段を示し、（ａ）は平面
図及び（ｂ）は正面図である。
【図６】本発明の実施例になる人体局部洗浄装置の水量脈動手段を示し、（ａ）は平面
図及び（ｂ）は正面図である。
【図７】本発明の実施例になる人体局部洗浄装置における水のフローを示す図である。
【符号の説明】
１…ポンプ、２…水量脈動手段、３…洗浄ノズル、４…脈動付勢手段、５…分岐部、２１…ローター、２２…ローター室、２３…回転軸、２４…邪魔板、２５…スリット、２６…モーター、２７…邪魔板、２８…水車、２９…回転軸、３０…水車室、３１…排水口、３２…吐水口、３３…給水口、３４…オリフィス、  ３６…温水タンク
【図１】
0003580379.tif 000002
【図２】
0003580379.tif 000003
【図３】
0003580379.tif 000004
【図４】
0003580379.tif 000005
【図５】
0003580379.tif 000006
【図６】
0003580379.tif 000007
【図７】
0003580379.tif 000008